(57)【要約】【課題】側柵用の差込口の取り出しおよび収納を容易にするベッドを提供する。【解決手段】２本の支柱を有する側柵を着脱可能なベッドの基台となる枠体１１と、枠体１１に回動可能に取り付けられ、２本の支柱の一方を受ける第１の差込穴３７を有する第１の支持部材３１と、枠体１１に回動可能に取り付けられ、２本の支柱の他方を受ける第２の差込穴３８を有する第２の支持部材３２と、第１および第２の支持部材３１、３２を互いに連結する連結棒３３とを備え、第１および第２の支持部材３１、３２のそれぞれは、ベッドの側端よりも内側の第１位置と、第１および第２の差込穴３７、３８をベッドの側端よりも外側に露出させる第２の位置との間を回動し、連結棒３３は、第１および第２の支持部材３１、３２の一方の回動に連動して第１および第２の支持部材３１、３２の他方を回動させる。【選択図】図４Ａ
2015202377.tif 000002
【特許請求の範囲】
【請求項１】
２本の支柱を有する側柵を取付可能なベッドの基台となる枠体と、
前記枠体に回動可能に取り付けられ、前記２本の支柱の一方を受ける第１の差込穴を有する第１の支持部材と、
前記枠体に回動可能に取り付けられ、前記２本の支柱の他方を受ける第２の差込穴を有する第２の支持部材と、
前記第１および第２の支持部材を互いに連結する連結棒とを備え、
前記第１および第２の支持部材のそれぞれは、前記ベッドの側端よりも内側の第１位置と、第１および第２の差込穴を前記側端よりも外側に露出させる第２の位置との間を回動し、
前記連結棒は、前記第１および第２の支持部材の一方の回動に連動して前記第１および第２の支持部材の他方を回動させる
ベッド。
【請求項２】
前記第１および第２の支持部材のそれぞれは、前記連結棒に固定され、前記連結棒を軸として回動する
請求項１に記載のベッド。
【請求項３】
前記ベッドは、
前記第１の支持部材を回動可能に保持し、前記枠体に固定された第１のブラケットと、
前記第２の支持部材を回動可能に保持し、前記枠体に固定された第２のブラケットとを備え、
前記第１および第２のブラケットの少なくとも一方は、前記第２の位置に前記第１または第２の支持部材を固定する着脱可能な固定用部材を保持する保持部を有する
請求項２に記載のベッド。
【請求項４】
前記固定用部材はピンであり、
前記保持部は前記第１および第２のブラケットの少なくとも一方に設けられたピン挿入穴である
請求項３に記載のベッド。
【請求項５】
前記第１および第２の支持部材のそれぞれは、前記ベッドの上面と平行に回動し、
前記連結棒は、前記第１および第２の支持部材を逆の方向に回動させる
請求項１に記載のベッド。
【請求項６】
前記ベッドは、
前記第１の支持部材の軸受けに保持された軸棒を有し前記枠体に固定された第１のブラケットと、
前記第２の支持部材の軸受けに保持された軸棒を有し前記枠体に固定された第２のブラケットとを備え、
前記第１の支持部材は、
前記第１の支持部材の前記軸棒に取り付けられ、前記第１の差込穴を持つ第１の支持本体と、
前記第１の支持本体に固定され、前記第１の支持本体の前記軸棒よりも前記ベッドの内側寄りの位置に前記連結棒の一端を連結する第１の軸体とを有し、
前記第２の支持部材は、
前記第２の支持部材の前記軸棒に取り付けられ、前記第２の差込穴を持つ第２の支持本体と、
前記第２の支持本体に固定され、前記第２の本体部の前記軸棒よりも前記ベッドの外側寄りの位置に前記連結棒の他端を連結する第２の軸体とを有する
請求項５に記載のベッド。
【請求項７】
前記連結棒と前記第１の支持本体との距離、および前記連結棒と前記第２の支持本体との距離は、所定の距離以上離れている
請求項６に記載のベッド。
【発明の詳細な説明】
【技術分野】
【０００１】
本発明は、ベッドに関し、特に側柵を取り外し可能なベッドに関する。
【背景技術】
【０００２】
近年、病院及び家庭で用いられる電動ベッドが普及してきた。電動ベッドは、人体を支持するボトム（床板体）と、そのボトムの姿勢を変更する駆動機構とを備える。姿勢変更が可能なボトムは、回動可能に連結された背ボトム、腰ボトム、膝ボトム及び足ボトムから構成される。
【０００３】
さらに、電動ベッドは、側柵を着脱可能な差込口をベッドの側面に有している。側柵には、サイドレール、ベッド用グリップ（または介助バー）などの種類がある。サイドレールは、ベッドで寝ている人の転落や寝具の落下を予防するための柵をいう。ベッド用グリップは、ベッド上で起き上がりやベッドからの立ち上がりなどの動作を補助するための柵をいう。
【０００４】
側柵を取り付け可能な差込口は、通常、ボトムの側端から少し飛び出した位置にある。側柵を取り外した状態では、差込口と人または物とが接触する可能性がある。例えば、車椅子からベッドに人が移動する場合に、できるだけベッドの近くに車椅子を寄せたいのに差込口が邪魔になる等の不具合がある。
【０００５】
そのため、特許文献１〜３は、差込口をボトムの側端よりも内側に収納可能なベッドをそれぞれ提案している。
【先行技術文献】
【特許文献】
【０００６】
【特許文献１】実開平４−１２０６４７号公報
【特許文献２】実開平１−７１５４４号公報
【特許文献３】実開昭５８−１４４４６３号公報
【発明の概要】
【発明が解決しようとする課題】
【０００７】
しかしながら、上記従来のベッドでは、差込口の取り出しおよび収納を容易に行えないという問題がある。具体的には、差込口の取り出しおよび収納するためには、介護士等の使用者が両手を使う必要があり、容易に行うことができない。
【０００８】
そこで、本発明は、側柵用の差込口の取り出しおよび収納を容易にするベッドを提供することを目的とする。
【課題を解決するための手段】
【０００９】
上記目的を達成するために、本発明に係るベッドの一形態は、２本の支柱を有する側柵を取付可能なベッドの基台となる枠体と、前記枠体に回動可能に取り付けられ、前記２本の支柱の一方を受ける第１の差込穴を有する第１の支持部材と、前記枠体に回動可能に取り付けられ、前記２本の支柱の他方を受ける第２の差込穴を有する第２の支持部材と、前記第１および第２の支持部材を互いに連結する連結棒とを備え、前記第１および第２の支持部材のそれぞれは、前記ベッドの側端よりも内側の第１位置と、第１および第２の差込穴を前記側端よりも外側に露出させる第２の位置との間を回動し、前記連結棒は、前記第１および第２の支持部材の一方の回動に連動して前記第１および第２の支持部材３１、３２の他方を回動させる。
【発明の効果】
【００１０】
本発明に係るベッドによれば、側柵の差込口の取り出しおよび収納を容易にすることができる。
【図面の簡単な説明】
【００１１】
【図１】図１は、実施の形態１に係るベッドの構成例を示す斜視図である。
【図２】図２は、実施の形態１に係るベッドの構成例を示す上面図である。
【図３】図３は、実施の形態１に係る側柵の構成例を示す図である。
【図４Ａ】図４Ａは、実施の形態１に係る非収納時における側柵支持部の構成例を示す斜視図である。
【図４Ｂ】図４Ｂは、実施の形態１に係る収納時における側柵支持部の構成例を示す斜視図である。
【図５】図５は、実施の形態１に係るピンの構成例を示す斜視図である。
【図６Ａ】図６Ａは、実施の形態２に係る非収納時における側柵支持部の詳細な構成例を示す斜視図である。
【図６Ｂ】図６Ｂは、実施の形態２に係る収納時における側柵支持部の詳細な構成例を示す斜視図である。
【図７】図７は、実施の形態２に係る非収納時における側柵支持部の詳細な構成例を示す上面図および正面図である。
【図８】図８は、実施の形態２に係る収納時における側柵支持部の詳細な構成例を示す上面図および正面図である。
【発明を実施するための形態】
【００１２】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置及び接続形態等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密な寸法を表すものではない。
【００１３】
（実施の形態１）
図１は、実施の形態１に係るベッドの構成例を示す斜視図である。図２は、ベッドの構成例を示す上面図である。図１および図２に係るベッドは、病院及び家庭等で使用される電動式のベッドであり、２本の支柱を有する側柵を着脱可能である。このベッドは、主要部として枠体１１と、ボトム２０と、４つの側柵支持部３０とを備える。これ以外にも、このベッドは、頭側ボード、足側ボード、電動モーター、操作リモコン等を備えている。
【００１４】
枠体１１は、ベッドの基台となるフレームである。枠体１１の４箇所に側柵支持部３０が取り付けられている。
【００１５】
ボトム２０は、蝶番等で回動可能に順次、連結された複数の部位、つまり、背ボトム２１、腰ボトム２２、膝ボトム２３及び足ボトム２４を有する。
【００１６】
側柵支持部３０のそれぞれは、２本の支柱を有する側柵を着脱可能である。つまり、側柵支持部３０のそれぞれは、側柵の支柱が差し込まれる差込口をもつ第１および第２の支持部材３１、３２を有する。
【００１７】
第１の支持部材３１は、枠体１１に回動可能に取り付けられ、側柵の２本の支柱の一方を受ける第１の差込穴３７を有する。
【００１８】
第２の支持部材３２は、枠体１１に回動可能に取り付けられ、側柵の２本の支柱の他方を受ける第２の差込穴３８を有する。
【００１９】
第１および第２の支持部材３１、３２のそれぞれは、ベッドの側端よりも内側の第１の位置と、差込穴３７、３８をベッドの側端よりも外側に露出させる第２の位置との間を回動可能である。つまり、第１および第２の支持部材３１、３２のそれぞれは、第１の位置ではベッドの側端よりも内側に収納された状態と、第２の位置ではベッドの側端よりも外側に飛び出した状態（非収納の状態）との２つの状態を択一的にとる。しかも、第１および第２の支持部材３１、３２は一方の回動に連動して他方も回動する。
【００２０】
ここで、側柵について説明する。
【００２１】
図３は、側柵の構成例を示す図である。同図において側柵４０は、支柱４１、４２を有する。支柱４１、４２は、第１および第２の支持部材３１、３２に差し込まれ、ベッドの側柵として機能する。一般に、側柵には、サイドレール、ベッド用グリップ（または介助バー）などの複数の種類がある。サイドレールは、主に、ベッドで寝ている人の転落や寝具の落下を予防するための柵をいう。ベッド用グリップは、主に、ベッド上で起き上がりやベッドからの立ち上がりなどの動作を補助するための柵をいう。図１および図２のベッドは、４つの側柵を装着可能である。各側柵支持部３０は、側柵が脱着可能であり、他の側柵に交換することも可能である。また、支柱４１および支柱４２の先端部分は、同図では、支柱本体に先端部材を被せるキャップ式になっている。
【００２２】
次に、連動して回動する第１および第２の支持部材３１、３２を有する側柵支持部３０の詳細な構成について説明する。
【００２３】
図４Ａは、実施の形態１に係る非収納状態における側柵支持部３０の詳細な構成例を示す斜視図である。また、図４Ｂは、収納状態における側柵支持部３０の詳細な構成例を示す斜視図である。非収納状態は、第１および第２の支持部材３１、３２が上記の第１の位置にある状態をいう。また、収納状態は、第１および第２の支持部材３１、３２が上記の第２の位置にある状態をいう。
【００２４】
図４Ａおよび図４Ｂにおいて、側柵支持部３０は、第１の支持部材３１、第２の支持部材３２、連結棒３３、第１のブラケット３５、第２のブラケット３６を有する。
【００２５】
第１の支持部材３１は、側柵４０の２本の支柱のうちの一方を受ける第１の差込穴３７を有し、第１のブラケット３５に連結棒３３を軸として回動可能に取り付けられる。
【００２６】
第２の支持部材３２は、側柵４０の２本の支柱のうちの他方を受ける第２の差込穴３８を有し、第２のブラケット３６に連結棒３３を軸として回動可能に取り付けられる。
【００２７】
連結棒３３は、第１および第２の支持部材３１、３２の一方の回動に連動して第１および第２の支持部材３１、３２の他方を回動させる。図４Ａおよび図４Ｂでは、連結棒３３は、第１および第２の支持部材３１、３２のそれぞれに固定され、回動軸として機能する。
【００２８】
第１のブラケット３５は、第１の支持部材３１を回動可能に保持し、枠体１１に固定される。さらに、第１のブラケット３５は、第２の位置に第１の支持部材３１を固定するための着脱可能な固定用部材を保持する保持部３４を有する。図４Ａおよび図４Ｂにおける保持部３４は、固定用部材としてのピンを保持するピン穴である。このピン穴は、第１のブラケット３５の両側板に形成されている。また、固定用部材３４ａは、例えば、図５に示すようなピンでよい。図４Ａに示す非収納状態において保持部３４（ピン穴）に固定用部材３４ａ（ピン）を保持させることにより、第１の支持部材３１を回動できないようにする。つまり、側柵４０を取り付けた状態で側柵４０の上端がベッドの短手方向にぐらつくことを抑えることができる。
【００２９】
第２のブラケット３６は、第２の支持部材３２を回動可能に保持し、枠体１１に固定される。さらに、第２のブラケット３６は、第２の位置に第２の支持部材３２を固定するための着脱可能な固定用部材を保持する保持部３４を有する。第２のブラケット３６の保持部３４は、第１のブラケット３５の保持部３４と同様である。
【００３０】
なお、図４Ａおよび図４Ｂでは、保持部３４が第１のブラケット３５と第２のブラケット３６の両方に形成される例を示したが、保持部３４は第１のブラケット３５と第２のブラケット３６の何れか一方に形成されていてもよい。
【００３１】
また、側柵支持部３０は、図４Ｂに示す収納状態において図５に示したピンを二次的に保持する他の保持部を備えてもよい。例えば、他の保持部は、第１のブラケット３５または第２のブラケット３６に固定された筒体であって、ピンを保持可能な構成としてもよい。
【００３２】
このように構成された実施の形態１に係るベッドによれば、第１の支持部材３１および第２の支持部材３２の一方を回動させれば、連結棒３３の回転によって他方も回動する。したがって、介護士等の使用者は、第１の支持部材３１および第２の支持部材３２を収納する動作および取り出す動作を、極めて容易にすることができる。例えば、収納する動作および取り出す動作を片手で容易にすることができる。言い換えれば、第１の支持部材３１および第２の支持部材３２における、図４Ａに示す非収納状態と図４Ｂに示す収納状態とを容易に片手でも変更することができる。
【００３３】
また、非収納状態においてピン穴にピンを装着することにより、側柵４０のぐらつきを抑えることができる。
【００３４】
以上のように実施の形態１に係るベッドは、２本の支柱を有する側柵を取付可能なベッドの基台となる枠体１１と、枠体１１に回動可能に取り付けられ、２本の支柱の一方を受ける第１の差込穴３７を有する第１の支持部材３１と、枠体１１に回動可能に取り付けられ、２本の支柱の他方を受ける第２の差込穴３８を有する第２の支持部材３２と、第１および第２の支持部材３１、３２を互いに連結する連結棒３３とを備える。第１および第２の支持部材３１、３２のそれぞれは、ベッドの側端よりも内側の第１位置と、第１および第２の差込穴３７、３８をベッドの側端よりも外側に露出させる第２の位置との間を回動する。連結棒３３は、第１および第２の支持部材３１、３２の一方の回動に連動して第１および第２の支持部材３１、３２の他方を回動させる。
【００３５】
これによれば、連結棒３３は、第１および第２の支持部材３１、３２の一方の回動に連動して第１および第２の支持部材３１、３２の他方を回動させる。よって、介護士等の使用者が、第１および第２の支持部材３１、３２の一方のみを回動させる動作によって、第１および第２の支持部材３１、３２の両者が収納状態（つまり第１の位置）であるか非収納状態（つまり第２の位置）であるかを同時に変更することができる。すなわち、側柵の差込口の取り出しおよび収納を容易にすることができる。例えば、差込口の取り出しおよび収納を片手でも行うことができる。
【００３６】
ここで、第１および第２の支持部材３１、３２のそれぞれは、連結棒３３に固定され、連結棒３３を軸として回動してもよい。
【００３７】
これによれば、上記収納状態と非収納状態との変更を、第１および第２の支持部材３１、３２の一方のみを、縦方向（または垂直方向）に回動させることにより、容易に行うことができる。
【００３８】
ここで、ベッドは、第１の支持部材３１を回動可能に保持し、枠体１１に固定された第１のブラケット３５と、第２の支持部材３２を回動可能に保持し、枠体１１に固定された第２のブラケット３６とを備え、第１および第２のブラケット３５、３６の少なくとも一方は、第２の位置に第１または第２の支持部材３１、３２を固定する着脱可能な固定用部材３４ａを保持する保持部３４を有してもよい。
【００３９】
これによれば、第１および第２の支持部材３１、３２を、第１および第２のブラケット３５、３６によって枠体１１に回動可能に取り付けることができる。
【００４０】
ここで、固定用部材３４ａはピンであり、保持部３４は第１および第２のブラケット３５、３６の少なくとも一方に設けられたピン挿入穴であるとしてもよい。
【００４１】
これによれば、さらに、側柵を取り付けた状態で側柵のぐらつきを低減し、側柵を安定させることができる。
【００４２】
（実施の形態２）
続いて、実施の形態２に係る側柵支持部３０について説明する。実施の形態１では、第１および第２の支持部材３１、３２が縦に回動する例（つまり回動軸が横の例）について説明したが、本実施の形態では横に回動する例（つまり回動軸が縦の例）を説明する。本実施の形態に係るベッドの概略構成は、図１および図２と同様である。以下異なる点を中心に説明する。
【００４３】
図６Ａは、実施の形態２に係る非収納時における側柵支持部３０の詳細な構成例を示す斜視図である。また、図６Ｂは、実施の形態２に係る収納時における側柵支持部３０の詳細な構成例を示す斜視図である。
【００４４】
図６Ａおよび図６Ｂにおける側柵支持部３０は、第１の支持部材３１、第２の支持部材３２、連結棒３３、第１のブラケット３５、第２のブラケット３６を備える。
【００４５】
第１の支持部材３１は、側柵４０の２本の支柱うちの一方を受ける第１の差込穴３７を有し、ベッドの上面と平行に（つまり横に）回動する。
【００４６】
第２の支持部材３２は、側柵４０の２本の支柱うちの他方を受ける第２の差込穴３８を有し、ベッドの上面と平行に（つまり横に）回動する。
【００４７】
連結棒３３は、第１および第２の支持部材３１、３２の一方の回動に連動して第１および第２の支持部材３１、３２の他方を回動させる。この連結棒３３は、第１および第２の支持部材３１、３２を互いに逆の方向に回動させるように第１および第２の支持部材３１、３２に連結されている。
【００４８】
第１のブラケット３５は、枠体１１に固定され、第１の支持部材３１を回動可能に保持する。第１の支持部材３１を回動可能に保持するために、第１のブラケット３５は、ベッドの上面に垂直な軸棒３９ａを有する。軸棒３９ａは、第１の支持部材３１の軸受け（例えば貫通穴）にはめ込まれる。
【００４９】
第２のブラケット３６は、枠体１１に固定され、第２の支持部材３２を回動可能に保持する。第２の支持部材３２を回動可能に保持するために、第２のブラケット３６は、ベッドの上面に垂直な軸棒３９ｂを有する。軸棒３９ｂは、第１の支持部材３１の軸受け（例えば貫通穴）にはめ込まれる。
【００５０】
つづいて、第１および第２の支持部材３１、３２を互いに逆向きに回動させる連結棒３３に関して、側柵支持部のより詳細な構成例について説明する。
【００５１】
図７は、実施の形態２に係る非収納時における側柵支持部３０の詳細な構成例を示す上面図および正面図である。また、図８は、実施の形態２に係る収納時における側柵支持部３０の詳細な構成例を示す上面図および正面図である。図７および図８は、図６Ａおよび図６Ｂと同様であるので、ここでは、図６Ａおよび図６Ｂでは十分に表されていない連結棒３３による連結機構を中心に説明する。
【００５２】
第１の支持部材３１は、支持本体３１ａと軸体３１ｂとを有する。支持本体３１ａは、第１の差込穴３７を有する。軸体３１ｂは、支持本体３１ａに固定されていて、支持本体３１ａから所定の距離以上離れた位置で連結棒３３の一端に回動可能に連結される。ここで、所定の距離は、人の指よりも十分に大きい距離（例えば３ｃｍ以上）であり、第１の支持部材３１と連結棒３３とが人の指を挟まないように設けられている。また、図７および図８に示すように、軸体３１ｂから枠体１１までの距離は、軸棒３９ａから枠体１１までの距離よりも小さい。言い換えれば、軸体３１ｂは、軸棒３９ａよりもベッドに近い位置にある。
【００５３】
第２の支持部材３２は、支持本体３２ａと軸体３２ｂとを有する。支持本体３２ａは、第２の差込穴３８を有する。軸体３２ｂは、支持本体３２ａに固定されていて、支持本体３２ａから所定の距離の位置で連結棒３３の他端に回動可能に連結される。ここで、所定の距離は、上記の通りである。また、軸体３２ｂから枠体１１までの距離は、軸棒３９ｂから枠体１１までの距離よりも大きい。言い換えれば、軸体３２ｂは、軸体３１ｂよりもベッドから遠い位置にある。これにより、第１の支持部材３１と第２の支持部材３２とを逆方向に回動させることができる。
【００５４】
連結棒３３は、その一端が軸体３１ｂに連結され、その他端が軸体３２ｂに連結される。軸体３１ｂと軸体３２ｂは、第１および第２の支持部材３１の軸棒３９ａ、３９ｂを通る直線に対して、直線を挟むように位置する。このような連結機構によって、連結棒３３は、第１および第２の支持部材３１、３２を互いに逆の方向に回動させることができる。
【００５５】
以上のように、本実施の形態におけるベッドによれば、第１の支持部材３１および第２の支持部材３２の一方を回動させれば、連結棒３３によって他方も回動する。したがって、介護士等の使用者は、第１の支持部材３１および第２の支持部材３２を収納する動作および取り出す動作を、極めて容易にすることができる。例えば、収納する動作および取り出す動作を片手で容易にすることができる。言い換えれば、第１の支持部材３１および第２の支持部材３２における、図６Ａに示す非収納状態と図６Ｂに示す収納状態とを容易に片手でも変更することができる。
【００５６】
また、仮に、第１および第２の支持部材３１、３２が同じ向きに回動するとすれば、側柵４０を取り付けた状態でも回動可能となり、側柵４０がベッドの長手方向に振れることになる。しかし、実施の形態２に係るベッドでは、第１および第２の支持部材３１、３２は、逆向きに回動するので、側柵４０を取り付けた状態で、側柵４０がベッドの長手方向に取り付け位置が振れることを抑制することができる。
【００５７】
以上のように実施の形態２に係るベッドにおいて、第１および第２の支持部材３１、３２のそれぞれは、ベッドの上面と平行に回動し、連結棒３３は、第１および第２の支持部材３１、３２を逆の方向に回動させる。
【００５８】
これによれば、第１の支持部材３１および第２の支持部材３２における非収納状態と収納状態とを容易に片手でも変更することができる。
【００５９】
ここで、上記ベッドは、第１の支持部材３１の軸受けに保持された軸棒３９ａを有し枠体１１に固定された第１のブラケット３５と、第２の支持部材３２の軸受けに保持された軸棒３９ｂを有し枠体１１に固定された第２のブラケット３６とを備え、第１の支持部材３１は、第１の支持部材３１の軸棒３９ａに取り付けられ、第１の差込穴３７を持つ第１の支持本体３１ａと、第１の支持本体３１ａに固定され、第１の支持本体３１ａの軸棒３９ａよりもベッドの内側寄りの位置に連結棒３３の一端を連結する第１の軸体３１ｂとを有し、第２の支持部材３２は、第２の支持部材３２の軸棒３９ｂに取り付けられ、第２の差込穴３８を持つ第２の支持本体３２ａと、第２の支持本体３２ａに固定され、第２の本体部３２の軸棒３９ｂよりもベッドの外側寄りの位置に連結棒３３の他端を連結する第２の軸体３２ｂとを有するとしてもよい。
【００６０】
これによれば、第１の支持部材３１および第２の支持部材３２が互いに逆向きに回動する連結機構を簡単な構成で実現するができる。
【００６１】
ここで、連結棒３３と第１の支持本体３１ａとの距離、および連結棒３３と第２の支持本体３２ａとの距離は、所定の距離以上離れていてもよい。
【００６２】
これによれば、介護士等の使用者が第１および第２の支持部材３１、３２の一方を回動させるときに、第１および第２の支持部材３１、３２と連結棒３３とが人の指を挟まないようにすることができる。
【００６３】
以上、本発明に係るベッドについて、実施の形態に基づいて説明したが、本発明は、実施の形態に限定されるものではない。本発明の主旨を逸脱しない限り、当業者が思いつく各種変形を本実施の形態に施したものや、実施の形態及び変形例における一部の構成要素を任意に組み合わせて構築される別の形態も、本発明の範囲内に含まれる。
【００６４】
たとえば、上記の各実施の形態におけるベッドは、電動ベッドであってもよいし、電動ベッドでなくてもよい。
【００６５】
また、側柵４０の支柱４１および４２は、図３では、キャップ式になっているが、キャップ式でなくてもよい。例えば、支柱本体を直接差込穴３７、３８に差し込む構成でもよい。
【００６６】
また、支柱４１および４２が円筒である例を示したが、角柱であってもよい。この場合、側柵支持部３０の第１および第２の差込穴３７、３８の水平断面形状は、支柱４１、４２との水平断面と同じ形状であってもよいし、異なる形状であってもよい。
【００６７】
また、図４Ａ、図４Ｂにおける連結棒３３の断面は円形でもよいし多角形でもよい。
【００６８】
さらに、図４Ａ、図４Ｂにおける保持部３４および固定用部材３４ａがピン穴とピンである例を説明したが、これに限らない。例えば、固定用部材３４ａが板状の小片で、かつ、保持部３４が第１または第２のブラケット３５または３６の上端に取り付けられた蝶番であって、上記の小片をブラケットの内側に回動自在に取り付ける蝶番であってもよい。
【００６９】
また、図６Ａ、図６Ｂにおける連結棒３３は、軸体３１ｂおよび軸体３２ｂに連結される連結穴が両端にあればよく、棒の形状は直線状であっても、他の形状であってもよい。
【００７０】
また、図６Ａ、図６Ｂにおける軸体３１ｂおよび軸体３２ｂは、軸棒３９ａおよび軸棒３９ｂを通る直線に対して、軸棒３９ａまたは軸棒３９ｂから約４５度の位置に設けられているが、例えば、約９０度の位置でもよく、上記直線を挟む位置に設けられていればどこでもよい。というのは、上記直線を挟む位置に設けられていれば、第１および第２の支持部材３１および３２を逆向きに回動させることができるからである。
【００７１】
また、図２では側柵支持部３０がベッドの側辺の４箇所に設置される例を説明したが、ベッドの他の辺に設置されてもよい。
【符号の説明】
【００７２】
１１  枠体
３０  側柵支持部
３１  第１の支持部材
３１ａ  第１の支持本体
３１ｂ  第１の軸体
３２  第２の支持部材
３２ａ  第２の支持本体
３２ｂ  第２の軸体
３３  連結棒
３４  保持部
３４ａ  固定用部材
３５  第１のブラケット
３６  第２のブラケット
３７  第１の差込穴
３８  第２の差込穴
３９ａ  軸棒
３９ｂ  軸棒
４０  側柵
４１  支柱
４２  支柱
【図１】
2015202377.tif 000003
【図２】
2015202377.tif 000004
【図３】
2015202377.tif 000005
【図４Ａ】
2015202377.tif 000006
【図４Ｂ】
2015202377.tif 000007
【図５】
2015202377.tif 000008
【図６Ａ】
2015202377.tif 000009
【図６Ｂ】
2015202377.tif 000010
【図７】
2015202377.tif 000011
【図８】
2015202377.tif 000012